(57)【要約】【課題】  従来の搬送装置はいずれも搬送距離に限界があり、搬送距離を延伸するためには大規模な設備を要するという問題点があった。これは、大規模な設備を備えようとすれば莫大な労力と資金が必要不可欠だからである。【解決手段】  エアー注入ソケットから注入されたエアーで回転翼を回転させる。この回転により、スクリューその他アタッチメントが内装された内筒内部が回転させられ、搬送物の搬送距離を補助する。回転翼を回転させたエアーをそのまま内筒内に送風させ、内筒中部の搬送距離延伸補助と同様の効果を発揮する。さらに、大規模な設備を必要としないので、人件費と設備資金が抑えられるといった経済効果をも発揮する。【選択図】図１
2013116819.tif 000002
【特許請求の範囲】
【請求項１】
外筒の底辺部にエアー充満部を設け、エアー充満部の上面に内筒中部回転用エアー注入孔を貫設し、外筒の底部にエアー注入ソケットを設け、上部・下部に上部取付ボルト、下部取付ボルトをそれぞれ溶着し、外筒部を形成する。内筒上部に上部フランジを溶着し、上部フランジ穴を貫設し、内筒下部に下部フランジを溶着し、下部フランジ穴を貫設し、内筒中部に回転翼を固着し、搬送補助エアー排出孔を貫設し、アタッチメント用部材を嵌着した搬送距離延伸補助装置。
【発明の詳細な説明】
【技術分野】
【０００１】  本発明は、送風吸引搬送における搬送距離延伸効果を図った搬送距離延伸補助装置に関するものである。
【背景技術】
【０００２】  従来の技術としては、スクリューコンベア単体であったり、圧送装置を利用した特開２００２−３２１８１２号や、送風吸引力およびスクリューコンベアを利用する吸引装置である特開平１１−２８６３３４号、あるいは特許第３８７０３４４号の送風吸引力を利用したものがある。（例えば特許文献１、特許文献２、特許文献３参照）。
【先行技術文献】
【特許文献】
【０００３】
【特許文献１】  特開２００２−３２１８１２号
【特許文献２】  特開平１１−２８６３３４号
【特許文献３】  特許第３８７０３４４号
【発明の概要】
【発明が解決しようとする課題】
【０００４】  以上に述べた搬送装置はいずれも搬送距離に限界があり、搬送距離を延伸するためには大規模な設備を要する。このため莫大な労力と資金を要するというものであった。【０００５】  本発明は、このような従来の技術が有していた問題点を解決しようとするものであり、外筒底部にエアー充満部へ送風するためのエアー注入ソケットを設け、外筒の底周部に設けられたエアー充満部にエアーを満たし、上面に穿設された内筒中部回転用エアー排出孔より回転翼にエアーを吹き付け、このことにより内筒中部が回転する。この作用に伴い、内筒中部内面に装着されたスクリューその他のアタッチメントが回転し搬送を補助する。その後、回転翼に吹き付けられたエアーは搬送補助エアー排出孔より内筒内に送風され、搬送距離の延伸を補助することを目的とするものである。
【課題を解決するための手段】
【０００６】  そして、本発明は上記課題を解決するために、外筒の底辺部にエアー充満部を設け、エアー充満部の上面に内筒中部回転用エアー排出孔を貫設し、外筒の底部にエアー注入ソケットを設け、上部・下部に上部取付ボルト、下部取付ボルトをそれぞれ溶着し、外筒部を形成する。内筒上部に上部フランジを溶着し、上部フランジ穴を貫設し、内筒下部に下部フランジを溶着し、下部フランジ穴を貫設し、内筒中部に回転翼を固着し、搬送補助エアー排出孔を貫設し、アタッチメント用部材を嵌着したものである。【０００７】  上記の課題解決手段による作用は次のとおりである。すなわちエアー注入ソケットから注入されたエアーはエアー充満部に充慎され、内筒中部回転用エアー排出孔から送り出され、回転翼を回転させる。スクリューその他アタッチメントが内装された内筒内部が回転し、搬送物の搬送距離を補助する。回転翼を回転させたエアーはそのまま内筒内に送風され、内筒中部の搬送距離延伸補助と同様の効果を発揮する。さらに、大規模な設備を必要としないので、人件費と設備資金が抑えられるといった経済効果をも発揮する。
【発明の効果】
【０００８】  上述したように、本発明の搬送距離延伸補助装置は、エアーの送風により搬送物の搬送距離を大きくし、搬送延伸する効果を発揮する。【０００９】  また、１箇所だけでなく、搬送力が弱くなった場所に複数装着すれば、長大な搬送距離を延伸することも可能とさせる効果を発揮する。【００１０】  さらに、陸上で水平搬送だけの搬送延伸を目的とする場合は、該装置の横にモーターを設置し、外筒は設けず、直接例えばベルト等で回転させても良い。【００１１】  上述のモーターは小出力のものでよく、又、外筒も必要としないのでさらなる経済効果をも発揮する。【００１２】  本発明は、深度が大きな湖底や海において使用されることをも想定しており、深い場所で先端部を撹拌すればエアリフト効果により装置の効果は倍増する。【００１３】  搬送物の質・量は使用場所によって様々である。このことを勘案して、回転翼の可変ピッチや角度を変えて回転数を変化させればよい。【００１４】  また、エアー量を調整して搬送補助を可変することもできる。そして、送風したエアーは再利用し最後まで使い切ることができる。
【発明を実施するための最良の形態】
【００１５】  以下、本発明の実施の形態を図１〜図３に基づいて説明する。【００１６】  図においては、１の外筒の下部には３のエアー注入ソケットが設けられ、２のエアー充満部が周設され、２のエアー充満部の上部には４の内筒中部回転用エアー排出孔が貫設され、１の外筒の上部と下部には５の上部取付ボルト、６の下部取付ボルトが溶着されている。７の内筒中部には８の回転翼が固着され９の搬送補助エアー排出孔が穿設され、内面に１０のアタッチメント用部材が嵌着されている。１１の内筒上部には１２の上部フランジが固着され、１３の内筒下部には１４の下部フランジが固着され、１１の内筒上部、７の内筒中部、１３の内筒下部は凸凹面で接触されており、１５ａのシール材、１６ａのボールベアリング、１５ｂのシール材、１６ｂのボールベアリングにより、エアーの漏れ防止と内筒中部の回転をスムーズにしている。１の外筒と１１の内筒上部が１７の上部取付ナットで固定され、１１の内筒上部と７の内筒中部が枢着され、７の内筒中部と１３の内筒下部が枢着され、１３の内筒下部と１の外筒が１８の下部取付ナットで固着された搬送距離延伸補助装置である。【００１７】  以下、上記構成の詳細・作用を説明する。１の外筒は内径３０ｃｍ〜４０ｃｍ程度の綱管が使用され、２のエアー充満部が厚さ２ｍｍ〜４ｍｍ程度の綱板を使用し、板金加工され、１の外筒底部に溶着されており、さらに、２のエアー充満部にエアーを注入するための３のエアー注入ソケットが設けられている。このエアー充満部にはその上部に８の回転翼にエアーを吹きつけるための４の内筒中部回転用エアー排出孔が直径５ｍｍ〜８ｍｍ程度で貫設され、上部・下部にはそれぞれ、直径１０ｍｍ程度である５の上部取付ボルト、６の下部取付ボルトがそれぞれ溶着されている。【００１８】  ７の内筒中部には鉄よりも強く、アルミニウムよりも軽い、超軽量カーボンファイバーが使用され、搬送物に合わせて複数固着され、直径１０ｍｍ程度である９の搬送補助エアー排出孔が貫設され、そして、内側には搬送物に応じてアタッチメントが替えられるように１０のアタッチメント用部材が嵌着されている。【００１９】  １０のアタッチメント用部材は、搬送物の質・量により、材質や厚みを変化させればよい。【００２０】  １１の内筒上部には１２の上部フランジ、１３の内筒下部には１４の下部フランジがそれぞれ溶着され、搬送管の途中の任意の位置に接続できるようにする。【００２１】  １１の内筒上部、１３の内筒下部、７の内筒中部それぞれ凸凹に加工され、７の内筒中部がスムーズに可動できるよう１６ａ、１６ｂのボールベアリングが内設され、エアー漏れ防止のための１５ａ、１５ｂのシール材が固着されている。【００２２】  そして、外筒下部と内筒下部を１８の下部取付ナットで固着し、内筒中部を装着し、外筒上部と内筒上部を１７の上部取付ナットで固着して搬送距離延伸補助装置が形成されている。
【図面の簡単な説明】
【００２３】
【図１】本発明の外観図および部分断面図である。
【図２】内筒の外観図である。
【図３】外筒の外観図およびエアー充満部の部分外観図である。
【符号の説明】  １．外筒
２．エアー充満部
３．エアー注入ソケット
４．内筒中部回転用エアー排出孔
５．上部取付ボルト
６．下部取付ボルト
７．内筒中部
８．回転翼
９．搬送補助エアー排出孔
１０．アタッチメント用部材
１１．内筒上部
１２．上部フランジ
１３．内筒下部
１４．下部フランジ
１５ａ．シール材
１６ａ．ボールベアリング
１５ｂ．シール材
１６ｂ．ボールベアリング
１７．上部取付ナット
１８．下部取付ナット
【図１】
2013116819.tif 000003
【図２】
2013116819.tif 000004
【図３】
2013116819.tif 000005